(57)【要約】【課題】画素ずらしを応用した撮像部と圧縮記録部とを組み合わせたカメラレコーダにおいて、再生画像の画質劣化を必要最小限に抑制すると共に、消費電力を削減する。【解決手段】画素ずらしを応用した撮像部において、撮像素子から出力される画像を補完合成せずに圧縮記録部に送って圧縮し、記録媒体に記録する。記録された圧縮画像データを再生するときには、再生部において圧縮画像データを伸張した後に画素補間合成を行うようにする。【選択図】図１
2007067823.tif 000002
【特許請求の範囲】
【請求項１】
複数の撮像素子のうち少なくとも１枚が他の撮像素子に対応する位置から位相がずれた位置に配置された撮像部と、前記撮像部からの画像を圧縮する圧縮記録部と、
前記圧縮記録部からの圧縮画像データを記録媒体に記録及び、前記記録媒体から前記圧縮画像データを読み出す画像記録再生部と、
前記画像記録再生部からの前記圧縮画像データを伸張する画像伸張手段と、
前記画像伸張手段からの画像に対して補間及び合成処理を行って高解像度化する補間合成手段とを有する撮像圧縮記録再生装置。
【請求項２】
前記撮像素子の位相ずれに関する情報であるサンプル位相情報を前記圧縮画像データに多重するサンプル位相情報多重手段と、
前記圧縮画像データに多重化された前記サンプル位相情報を分離するサンプル位相情報分離手段とをさらに有し、
前記補間合成手段は、前記圧縮画像データから分離された前記サンプル位相情報に基づいて画素ずらしの補間合成方法を選択する請求項１記載の撮像圧縮記録再生装置。
【発明の詳細な説明】
【技術分野】
【０００１】
本発明は、画像を撮像する撮像部と、撮像した画像を圧縮して記録する圧縮記録部を有するカメラレコーダ、および、記録された圧縮画像を伸張する再生部を有するプレーヤーにおいて、低消費電力で高画質な記録・再生を行う方式および装置に関する。
【背景技術】
【０００２】
ＣＣＤやＣＭＯＳなど画素型の固体撮像素子を撮像部に用いたカメラ一体型レコーダ（カメラレコーダ）が数多く製品化されている。撮像部の構成には、図２（ａ）のように画素毎にＲＧＢの異なるカラーフィルタを２次元的に配置して１枚の撮像素子でカラー画像を得る１ＣＣＤ方式や、図２（ｂ）のようにＲＧＢのコンポーネント毎に３枚の撮像素子を独立に配置してより高い解像度でカラー画像を得る３ＣＣＤ方式など様々なタイプが提案されている。カメラレコーダにおいて撮像素子は、機能的にもコスト的にも中心的な重要部品である。特に３ＣＣＤ方式のように、撮像部を複数の撮像素子で構成する方式では製品コストに対する撮像素子のコストの割合が大きくなるため、撮像素子の低コスト化が強く求められている。ＣＣＤの低コスト化は半導体チップであるＣＣＤの面積を小型化することで達成されるが、同じ画素数のまま単純に面積を小さくすると１画素当たりの光照射面積も小さくなり、感度が落ちて信号対雑音比（ＳＮ比）が低下してしまう。このような性質から、半導体チップの総面積を一定とした場合、撮像素子の設計には以下の２通りの思想がある。
（１）１画素当たりの面積が小さくＳＮ比は低下するが高解像度を目標とする
（２）低解像度であるが１画素当たりの面積を大きくとり高いＳＮ比を目標とする
つまり、撮像素子において解像度とＳＮ比とはトレードオフの関係にあり、所望の性能とコストを両立するためにバランスのよい解像度やチップ面積を決める必要があった。
【０００３】
このような背景の中、ＳＮ比の良い低解像度のＣＣＤを用いて、より高い解像度の画像を合成するために「画素ずらし」という手法が考案されてきた（特許文献１参照）。画素ずらしにより、例えば水平方向に半分の解像度しかないＣＣＤを３枚用いて、ＣＣＤからの画像を補間合成することで２倍の水平解像度のカラー画像を得ることが可能となる。前述のように、ＣＣＤの総面積が同じであれば、水平解像度が半分のＣＣＤのほうが１画素当たりの面積を大きくすることができるため、画素ずらしによって感度が高くＳＮ比の高い映像信号を得ることが可能になる。
【０００４】
以下、水平方向の画素ずらしによる解像度変換について図３乃至図５を使って具体的に説明する。図３は、３枚のＣＣＤでＲＧＢの各チャンネルを独立に撮像する３ＣＣＤカメラにおける、３枚のＣＣＤの配置の仕方を示す模式図である。この例ではＲＧＢ個々の画素の垂直位置が同一になるように、すなわち、レンズから入射した光がプリズム等で垂直方向に分光されて、ＲＧＢ各チャンネルのＣＣＤの対応する画素位置に入射するように、３枚のＣＣＤが配置されているものとする。図３（ａ）、（ｂ）の各々は、上からＧチャンネル、Ｒチャンネル、ＢチャンネルのＣＣＤが縦に並んでいることを示している。画素ずらしを用いないカメラにおいて、図３（ａ）のように水平方向の解像度（以下、水平解像度と記載する）がＮ画素であるＲＧＢが独立した３枚のＣＣＤは、各画素の水平位置が同じになるように物理配置される。これに対して画素ずらしを応用したカメラでは、図３（ｂ）のように水平解像度がＮ／２画素しかないＣＣＤを３枚用い、Ｇチャンネル用のＣＣＤの画素を基準に、Ｒチャンネル及びＢチャンネルのＣＣＤの画素が物理的に１／２画素水平にシフトした位置に来るように配置される。
【０００５】
図４は、図３（ｂ）のような水平方向の画素ずらしを施した撮像部によってサンプリングされたＧチャンネル、Ｒチャンネル及びＢチャンネルの信号（以下、各々をＧ信号、Ｒ信号及びＢ信号と記載する）の水平方向の位置関係と画素の信号レベルを示す模式図である。図４の横軸は水平方向の画素位置であり、縦軸は画素の信号レベルを表している。上記のようにＧ信号を基準に、１／２画素ずれた位相でサンプリングされたＲ信号及びＢ信号は、図４（ａ）のような水平方向の位置関係になる。それゆえ、Ｇ信号と、Ｒ信号及びＢ信号とは、それぞれ図４（ｂ）に示すように互いに水平方向に１／２画素シフトした位置のサンプル列となる。
【０００６】
次に、これら水平解像度がＮ／２画素の信号を水平方向にオーバーサンプルし、水平解像度をＮ画素に画素補間合成する処理を行う。図５は、ＲＧＢ各チャンネルのＣＣＤによって得られた画素信号をオーバーサンプルして出力する処理を示す模式図である。図５の横軸は水平方向の画素位置であり、縦軸は画素の信号レベルを表している。水平方向に１／２画素シフトしたＲ信号及びＢ信号を含む、水平解像度がＮ／２画素の信号に対して図５（ａ）のように同じサンプルデータが２つずつ並ぶように２倍オーバーサンプル化の処理を施した信号であるＧ’信号、Ｒ’信号及びＢ’信号を生成する。その後、これらの信号から
Ｙ’＝（Ｇ’＋Ｒ’）／２
の近似式で水平解像度がＮ画素の輝度信号Ｙ’を合成する。最終的にこのＹ’信号を用いて、ＲＧＢ信号の高周波成分を以下の式で近似して高周波成分を補強し、得られたＲ’’信号、Ｇ’’信号及びＢ’’信号を出力する。ただし、添え字のLはその信号の低周波成分、Hはその信号の高周波成分を意味する。
Ｒ’’＝ＬＰＦ（Ｒ’−Ｙ’）＋Ｙ’＝ＲL’＋ＹH’
Ｇ’’＝ＬＰＦ（Ｇ’−Ｙ’）＋Ｙ’＝ＧL’＋ＹH’
Ｂ’’＝ＬＰＦ（Ｂ’−Ｙ’）＋Ｙ’＝ＢL’＋ＹH’
ただし、関数：ＬＰＦ（）は信号の低周波成分のみを通過させる低域通過フィルタ（Ｌｏｗ  Ｐａｓｓ  Ｆｉｌｔｅｒ）を表す。
【０００７】
このような画素ずらし及びオーバーサンプルによる画素補間合成によって、低コストでＳＮ比のよいＣＣＤで撮像された信号を用いて、より高い解像度の画像を合成することが可能になる。
【０００８】
一方、カメラレコーダでは撮像と同時に撮影した画像をメディアに記録することが行われる。この際、記録メディアの利用効率を高めるために画像を圧縮記録部で圧縮符号化して記録することが一般的になっている。圧縮記録部で行う画像圧縮の方式には以下の２通りがある。
（１）圧縮・伸張の処理プロセスを通して完全に情報が復元される可逆圧縮
（２）画像の空間的・時間的相関を利用して視覚的に冗長な情報を削減する非可逆圧縮
一般の自然画像に対して高い圧縮効率を得るためにはＪＰＥＧ（非特許文献１参照）やＭＰＥＧ（非特許文献２及び非特許文献３参照）に代表される非可逆圧縮が不可欠であるが、非可逆であるが故に圧縮率を高めるほど再生画像に歪みが増大することが知られている。
【０００９】
今日広く利用されているデジタルスチルカメラやデジタルカメラレコーダといった従来の撮像圧縮記録再生装置は、撮像部と圧縮記録部とを一体化した製品であり、前述のような低コスト化と高画質化のトレードオフの中で最適な設計が試みられている。
【特許文献１】特開昭５６−８９７８号公報
【非特許文献１】ＩＳＯ／ＩＥＣ  １０９１８−１  Ｉｎｆｏｒｍａｔｉｏｎ  ｔｅｃｈｎｏｌｏｇｙ  −  Ｄｉｇｉｔａｌ  ｃｏｍｐｒｅｓｓｉｏｎ  ａｎｄ  ｃｏｄｉｎｇ  ｏｆ  ｃｏｎｔｉｎｕｏｕｓ−ｔｏｎｅ  ｓｔｉｌｌ  ｉｍａｇｅｓ：Ｒｅｑｕｉｒｅｍｅｎｔｓ  ａｎｄ  ｇｕｉｄｅｌｉｎｅｓ
【非特許文献２】ＩＳＯ／ＩＥＣ  １３８１８−２  Ｉｎｆｏｒｍａｔｉｏｎ  ｔｅｃｈｎｏｌｏｇｙ  −  Ｇｅｎｅｒｉｃ  ｃｏｄｉｎｇ  ｏｆ  ｍｏｖｉｎｇ  ｐｉｃｔｕｒｅｓ  ａｎｄ  ａｓｓｏｃｉａｔｅｄ  ａｕｄｉｏ  ｉｎｆｏｒｍａｔｉｏｎ：  Ｖｉｄｅｏ
【非特許文献３】ＩＴＵ−Ｔ  Ｉｎｆｒａｓｔｒｕｃｔｕｒｅ  ｏｆ  ａｕｄｉｏｖｉｓｕａｌ  ｓｅｒｖｉｃｅｓ  −  Ｃｏｄｉｎｇ  ｏｆ  ｍｏｖｉｎｇ  ｖｉｄｅｏ：  Ａｄｖａｎｃｅｄ  ｖｉｄｅｏ  ｃｏｄｉｎｇ  ｆｏｒ  ｇｅｎｅｒｉｃ  ａｕｄｉｏｖｉｓｕａｌ  ｓｅｒｖｉｃｅｓ
【発明の開示】
【発明が解決しようとする課題】
【００１０】
しかしながら、画素ずらしを応用した撮像部と圧縮記録部とを組み合わせた従来のカメラレコーダにおいては、撮像部がオーバーサンプルすることでデータレートを増大させた信号を、圧縮記録部で所望のデータレートに圧縮することにより、再生画像の品質が必要以上に低下するのみならず、圧縮記録部および再生部の処理クロックレートが高まることから、より多くの電力を消費するといった課題があった。すなわち、撮像部はより低解像度の撮像素子から得た画像をもとに、画素ずらしによってより高い解像度の画像にアップコンバートしてデータレートを増大させる動作をしていた。一方で圧縮記録部では入力されるアップコンバート済みの高解像度画像を所望のデータレートになるように非可逆圧縮することで必要以上に歪みを生じさせるという矛盾が生じていた。
【００１１】
このような課題に鑑みて本発明の撮像圧縮記録再生装置は、再生画像の画質劣化を必要最小限に抑制すると共に、消費電力を削減することを目的とする。
【課題を解決するための手段】
【００１２】
上記課題を解決するために本発明の撮像圧縮記録再生装置は、複数の撮像素子のうち少なくとも１枚が他の撮像素子に対応する位置から位相がずれた位置に配置された撮像部と、撮像部からの画像を圧縮する圧縮記録部と、圧縮記録部からの圧縮画像データを記録媒体に記録及び、記録媒体から圧縮画像データを読み出す画像記録再生部と、画像記録再生部からの圧縮画像データを伸張する画像伸張手段と、画像伸張手段からの画像に対して補間及び合成して高解像度化する補間合成手段とを有する構成としたものである。
【発明の効果】
【００１３】
本発明の撮像圧縮記録再生装置によれば、画素ずらしを応用した撮像部において、撮像素子から出力される画像を補間合成せずに圧縮記録部に送って記録媒体に記録し、記録された圧縮画像データを再生するときには、再生部において画素補間合成を行うようにしたため、圧縮記録部への入力データレートが低下し、所望のデータレートに圧縮する際の圧縮率を低減することができる。その結果、再生画像の画質劣化を必要最小限に抑制する効果がある。また、圧縮記録部への入力データレートが低下することで、圧縮・伸張の処理クロックレートも下がり、消費電力を削減する効果がある。さらに、Ｈ．２６４／ＭＰＥＧ４−ＡＶＣ圧縮方式のように画素サンプルの位相情報を多重して記録伝送できる圧縮記録方式を採用することで、様々な画素ずらし方式に柔軟に互換することが可能になる。
【発明を実施するための最良の形態】
【００１４】
以下、図面を用いて本発明の実施の形態について説明する。
【００１５】
（実施の形態１）
図１を用いて本発明の実施の形態１にかかる撮像圧縮記録再生装置について説明する。図１は、本発明の実施の形態１にかかる撮像圧縮記録再生装置としてのカメラレコーダの構成を示すブロック図である。このカメラレコーダは、画像記録のための構成として、画素ずらしを応用した撮像部１０５、その後段に接続された圧縮記録部１１１、画像記録再生部１１２、記録制御手段１０６、記録メモリ制御手段１０８及び記録画像メモリ１０７を有している。撮像部１０５は、画素ずらしによって配置された３枚の撮像素子（ＣＣＤ）１０２、Ａ／Ｄ変換手段１０３及び撮像部制御手段１０４を有している。３枚の撮像素子はそれぞれＲチャンネル、Ｇチャンネル、Ｂチャンネルに対応しており、水平方向の解像度は再生時に必要な解像度の半分である。また、その配置の仕方は、従来の画素ずらしを用いたカメラレコーダと同様である。すなわち、３枚のＣＣＤのうちの２枚（図３（ｂ）においてはＲチャンネル及びＢチャンネル）が、他のＣＣＤ（Ｇチャンネル）に対応する位置から水平方向に位相が１／２画素ずれた位置に配置される。圧縮記録部１１１は、画像補正手段１０９及び画像圧縮手段１１０を有している。また、画像再生のための構成として、画像記録再生部１１２、再生部１１７、再生制御手段１１３、再生メモリ制御手段１１８及び再生画像メモリ１１４を有している。再生部１１７は画像伸張手段１１５及び画素ずらし補間合成手段１１６を有している。なお、１１９は圧縮した画像データを記録する記録メディアである。
【００１６】
以下、画像記録時および画像再生時の動作を順番に説明する。
【００１７】
記録時においては、撮像部１０５では画素ずらしによって配置された撮像素子１０２が画像を撮像し、Ａ／Ｄ変換手段１０３は撮像した映像信号をデジタル信号に変換して出力する。撮像部制御手段１０４は撮像部１０５の各手段の動作タイミングなどを適切に制御する。撮像部１０５で撮影されたデジタルの画像信号は記録メモリ制御手段１０８によって記録画像メモリ１０７に格納される。画像補正手段１０９は前記記録画像メモリ１０７からデジタル画像を順番に読み出し、レベルや色調を最適に補正する。
【００１８】
次に画像圧縮手段１１０は補正されたデジタル画像を所望のデータレートになるように画像圧縮する。記録制御手段１０６は圧縮記録部１１１の各手段の動作タイミングなどを適切に制御する。画像記録再生部１１２は、記録時においては、圧縮記録部１１１によって所望のデータレートに圧縮された圧縮画像データを入力とし、記録メディア１１９に対して圧縮画像データを書き込む。
【００１９】
このように記録時においては、撮像素子１０２から出力される画像を補間合成せずにそのまま撮像部１０５から出力し、この画像を圧縮記録部１１１において圧縮して圧縮画像データとして記録メディア１１９に記録する。
【００２０】
再生時においては、再生部１１７は画像記録再生部１１２が記録メディア１１９から読み出した圧縮画像データを入力とし、画像伸張手段１１５で圧縮を解いて圧縮記録部１１１における画像圧縮手段１１０への入力信号、すなわち記録時における圧縮前の画像とほぼ等価な復号画像を再生する。ただし、前記画像圧縮手段１１０が非可逆の圧縮方式である場合には、前記画像圧縮手段１１０の入力信号と前記画像伸張手段１１５の出力信号は完全に一致することは無い。
【００２１】
画素ずらし補間合成手段１１６は、復号された画像に対して画素補間合成処理を行う。すなわち、従来の画素ずらしを用いたカメラレコーダでの画素補間合成処理と同様に、ＲＧＢ各チャンネルの信号をオーバーサンプルした後で合成を行い、撮像素子の解像度に対して２倍の解像度の画像を得る。このように、本発明の撮像圧縮記録再生装置は、記録時に画素補間合成処理を行わない代わりに、再生時に画像伸張手段１１５の出力信号に対して画素ずらし補間合成手段１１６が画素ずらしの補間合成処理を行う。
【００２２】
以上の構成により、画素ずらしによって低解像度の撮像素子を用いて撮像および圧縮記録することを目的としたカメラレコーダにおいて、解像度を改善する画素ずらしによるアップコンバートは再生時に画素ずらし補間合成手段１１６によって行うため、画像圧縮手段１１０に入力される画像は低解像度のデータレートになる。このため、画像圧縮手段１１０において所望のデータレートに圧縮する際の圧縮率は最小限になる。画像圧縮手段１１０の圧縮方式が非可逆圧縮である場合、圧縮率は小さいほど高画質であることから、高い画質で撮像された映像信号を記録メディア１１９に記録することが可能になる。また、圧縮記録部の処理クロックは低解像度の画像を処理する速度でよいため、消費電力を低減することも可能である。再生時の画素ずらし補間合成手段１１６における画素ずらしによるアップコンバート処理は、従来例の記録時に行われていたものと同様の方法を適用することが可能である。
【００２３】
また、圧縮画像データには低解像度の画素数のみが記録されているため、画像伸張手段の処理クロックは低解像度の画像を処理する速度でよいため、消費電力を低減することも可能になる。
【００２４】
なお、本実施の形態では、画素ずらしの方向を水平方向として説明したが、垂直方向、水平・垂直両方などの方向としてもよい。その場合、撮像素子の配置をそのような方向にずらして配置すると共に、再生時の補間合成処理において、撮像素子の配置に合わせて処理を行えばよい。
【００２５】
なお、説明の都合上圧縮画像データは記録メディアに記録されているものを読み出す形態で説明したが、ネットワーク等で伝送されてくる場合も同様の処理が可能であり、画像データは静止画像でも動画像でもよい。
【００２６】
（実施の形態２）
次に図６乃至図８を用いて本発明の実施の形態２にかかる撮像圧縮記録再生装置について説明する。図６は、本発明の実施の形態２にかかる撮像圧縮記録再生装置としてのカメラレコーダの記録側の構成を示すブロック図である。本実施の形態２のカメラレコーダが実施の形態１と異なる部分は、圧縮記録部６１１がサンプル位相情報多重手段６１３を有し、撮像部１０５における撮像素子の位相ずれに関する情報、換言すると撮像画素サンプルの位相情報を圧縮画像データに多重することである。１０２は画素ずらしで配置された撮像素子、１０３はＡ／Ｄ変換手段、１０４は撮像部制御手段、１０５は撮像部、１０６は記録制御手段、１０７は記録画像メモリ、１０８は記録メモリ制御手段、１０９は画像補正手段、１１０は画像圧縮手段、６１１は圧縮記録部、１１２は画像記録再生部、６１３はサンプル位相情報多重手段である。画像圧縮手段１１０の後段にサンプル位相情報多重手段６１３が追加されている点に特徴がある。撮像部１０５の画素ずらしには水平、垂直、あるいは水平・垂直両方など多様な方式が考えられる。固定的な方式を採用することで再生側と暗黙の互換性を確保することも可能であるが、可変するような場合には記録側と再生側で画素がどのような位相関係になっているのかという情報を共有する必要がある。そこで本発明ではサンプル位相情報多重手段６１３によって、圧縮画像データに画素サンプルの位相情報を多重して記録伝送する。
【００２７】
サンプルの位相情報はどのような形式で多重化しても良いが、一例として位相のタイプをコード化して伝送することが考えられる。サンプルの位相情報をコード化して多重する具体例として、図７に画像圧縮方式の国際標準であるＨ．２６４／ＭＰＥＧ４−ＡＶＣ（以下、Ｈ．２６４と表記する）の規格書に記載されているＶＵＩ  （Ｖｉｄｅｏ  Ｕｓａｂｉｌｉｔｙ  Ｉｎｆｏｒｍａｔｉｏｎ）のｐａｒａｍｅｔｅｒ  ｓｙｎｔａｘで定義されるサンプル位相のタイプを示す。Ｈ．２６４ではこれらのタイプをｃｈｒｏｍａ＿ｓａｍｐｌｅ＿ｌｏｃ＿ｔｙｐｅ＿ｔｏｐ＿ｆｉｅｌｄとｃｈｒｏｍａ＿ｓａｍｐｌｅ＿ｌｏｃ＿ｔｙｐｅ＿ｂｏｔｔｏｍ＿ｆｉｅｌｄで指定できる。例えば、Ｇサンプルの位置を輝度サンプルの位置と考えて×及び□のサンプル位置を基準にすると、水平に１／２画素シフトしたＲサンプルとＢサンプルの位置はタイプ３のサンプルということになる。水平、垂直ともに１／２画素シフトした場合にはタイプ１のサンプルになる。インターレース信号において、２つのフィールドからフレームを構成した際に上側のラインになるトップフィールドはｃｈｒｏｍａ＿ｓａｍｐｌｅ＿ｌｏｃ＿ｔｙｐｅ＿ｔｏｐ＿ｆｉｅｌｄ、下側のラインになるボトムフィールドはｃｈｒｏｍａ＿ｓａｍｐｌｅ＿ｌｏｃ＿ｔｙｐｅ＿ｂｏｔｔｏｍ＿ｆｉｅｌｄにサンプル位相のタイプ番号を指定することで画素ずらしの位相情報を伝送することができる。
【００２８】
以上のように、Ｈ．２６４では記録側と再生側の互換性を重視して、サンプルの位相情報を多重できるように規定されているが、本発明の画素ずらしの位相情報をＶＵＩ  ｐａｒａｍｅｔｅｒ  ｓｙｎｔａｘを利用して記録伝送することが可能である。この例のように、本発明の画素ずらしを応用したカメラレコーダの圧縮記録方式は、国際標準方式と互換性を保ったまま適用することも可能である。
【００２９】
図８は図１の再生側とほぼ同様であり、８１１はサンプル位相情報分離手段、１１２は画像記録再生部、１１３は再生制御手段、１１４は再生画像メモリ、１１５は画像伸張手段、１１６は画素ずらし補間合成手段、８１７は再生部、１１８は再生メモリ制御手段、１１９は記録メディアである。画像記録再生部１１２の後段にサンプル位相情報分離手段８１１が追加されている点に特徴がある。
【００３０】
前記サンプル位相情報分離手段８１１は読み出された圧縮画像データからサンプルの位相情報を分離し、画素ずらし補間合成手段１１６に対してどのタイプの補間合成を行うか指示する。圧縮符号化方式がＨ．２６４の場合、サンプル位相情報分離手段の処理はＶＵＩ  ｐａｒａｍｅｔｅｒを検出し、ｐａｒａｍｅｔｅｒのシンタックスにしたがってｃｈｒｏｍａ＿ｓａｍｐｌｅ＿ｌｏｃ＿ｔｙｐｅ＿ｔｏｐ＿ｆｉｅｌｄとｃｈｒｏｍａ＿ｓａｍｐｌｅ＿ｌｏｃ＿ｔｙｐｅ＿ｂｏｔｔｏｍ＿ｆｉｅｌｄのフィールドを取り出す処理になる。
【００３１】
なお、実施の形態２ではＨ．２６４の例を中心に説明したが、他の圧縮符号化方式においてもアプリケーションの固有データとして圧縮画像データにサンプルの位相情報を多重化することが可能である。
【産業上の利用可能性】
【００３２】
本発明の撮像圧縮記録再生装置によれば、再生画像の画質劣化を必要最小限に抑制すると共に消費電力を削減することができるため、バッテリ駆動であり高画質の映像を必要とする業務用のカメラレコーダ等にも適用可能である。
【図面の簡単な説明】
【００３３】
【図１】実施の形態１の基本構成を示すブロック図
【図２】１ＣＣＤと３ＣＣＤの方式説明図
【図３】３ＣＣＤにおける画素ずらしの概念図
【図４】画素ずらしを応用した撮像部の撮像サンプル図
【図５】画素ずらしを応用したアップコンバートの説明図
【図６】実施の形態２の記録側のブロック図
【図７】Ｈ．２６４のＶＵＩ  ｐａｒａｍｅｔｅｒで定義されるサンプル位相のタイプを示した図
【図８】実施の形態２の再生側のブロック図
【符号の説明】
【００３４】
１０１  画素ずらし手段
１０２  撮像素子
１０３  Ａ／Ｄ変換手段
１０４  撮像部制御手段
１０５  撮像部
１０６  記録制御手段
１０７  記録画像メモリ
１０８  記録メモリ制御手段
１０９  画像補正手段
１１０  画像圧縮手段
１１１  実施の形態１の圧縮記録部
１１２  画像記録再生部
１１３  再生制御手段
１１４  再生画像メモリ
１１５  画像伸張手段
１１６  画素ずらし補間合成手段
１１７  実施の形態１の再生部
１１８  再生メモリ制御手段
１１９  記録メディア
６１１  実施の形態２の圧縮記録部
６１３  サンプル位相情報多重手段
８１１  サンプル位相情報分離手段
８１７  実施の形態２の再生部
【図１】
2007067823.tif 000003
【図２】
2007067823.tif 000004
【図３】
2007067823.tif 000005
【図４】
2007067823.tif 000006
【図５】
2007067823.tif 000007
【図６】
2007067823.tif 000008
【図７】
2007067823.tif 000009
【図８】
2007067823.tif 000010